(57)【要約】【課題】  分離することなく均一で安定な製剤であって、かつ各種排水処理工程などで生じる汚泥脱水ケーキからの硫化水素あるいはメチルメルカプタン等の悪臭だけでなく、残余する微量の複合悪臭の発生をも効果的に抑制することができる汚泥脱水ケーキ用悪臭発生防止剤およびそれを用いた汚泥脱水ケーキ用悪臭発生防止方法を提供することを課題とする。【解決手段】  亜硝酸塩の水溶液に、香料および両性界面活性剤を含有させて、均一で安定な製剤にすることを特徴とする汚泥脱水ケーキ用悪臭発生防止剤により、上記課題を解決する。【選択図】  なし【特許請求の範囲】
【請求項１】
亜硝酸塩の水溶液に、香料および両性界面活性剤を含有させて、均一で安定な製剤にすることを特徴とする汚泥脱水ケーキ用悪臭発生防止剤。
【請求項２】
亜硝酸塩が、亜硝酸ナトリウム、亜硝酸カリウムである請求項１に記載の汚泥脱水ケーキ用悪臭発生防止剤。
【請求項３】
香料が、樟脳、酢酸ベンジルを含有する香料である請求項１または２に記載の汚泥脱水ケーキ用悪臭発生防止剤。
【請求項４】
両性界面活性剤が、ラウリル（２−ヒドロキシ−３−スルホプロピル）ジメチルベタイン、ラウリルジメチルアミノ酢酸ベタイン、ジメチルラウリルアミンオキサイドから選ばれる１種である請求項１〜３のいずれかに記載の汚泥脱水ケーキ用悪臭発生防止剤。
【請求項５】
亜硝酸塩と香料の配合割合が、１００：０．０５〜１００：４（重量比）である請求項１〜４のいずれかに記載の汚泥脱水ケーキ用悪臭発生防止剤。
【請求項６】
亜硝酸塩と界面活性剤の配合割合が、１００：１〜１００：１５（重量比）である請求項１〜５のいずれかに記載の汚泥脱水ケーキ用悪臭発生防止剤。
【請求項７】
請求項１〜７のいずれかに記載の汚泥脱水ケーキ用悪臭発生防止剤を、汚泥脱水ケーキに対して１０〜２０，０００ｍｇ／ｋｇとなるように添加することを特徴とする汚泥脱水ケーキの悪臭発生防止方法。
【発明の詳細な説明】
【技術分野】
【０００１】
本発明は、汚泥脱水ケーキ用悪臭発生防止剤および汚泥脱水ケーキ用悪臭発生防止方法に関する。さらに詳しくは、分離することなく安定であって、かつ汚泥脱水ケーキから発生する微量の複合悪臭の発生をも抑制できる汚泥脱水ケーキ用悪臭発生防止剤およびその悪臭発生防止方法に関する。
【背景技術】
【０００２】
下水・し尿処理場、食品製造工場、製紙工場、その他有機性排水処理施設などで、その排水処理工程においては多量の余剰汚泥が発生し、この汚泥は遠心脱水やベルトプレスなどの種々の脱水手段により脱水ケーキとされ、焼却処理、埋め立て処理、コンポストやセメント原料などの再利用に回されるが、脱水ケーキは、ケーキを排出する場内に数日間堆積しておき、ある程度の量になると、処理場へ搬出・運搬され、上述の処理に供されるといった手順がふまれているが、この脱水ケーキ中の微生物の活動により、硫化水素やメチルメルカプタンあるいはアンモニアなどの特定悪臭物質が高濃度発生に悪影響を及ぼしている。また、この脱水ケーキを搬出・運搬する際にも作業員の労働環境に悪影響を及ぼすと同時に、運搬中に一般の公道などで周辺住民に対し悪臭被害をもたらし、苦情が頻繁に出るといった問題が生じている。
【０００３】
従来、これらの汚泥脱水ケーキより発生する悪臭を抑制防止する方法は、種々提案されている。酸化剤系消臭剤によって悪臭物質を酸化分解することによって悪臭物質を除去する方法や、金属塩系消臭剤によって悪臭物質を不溶性金属硫化物としてトラップし悪臭物質の拡散を防止する方法、その他、殺菌剤系消臭剤によって、脱水ケーキの腐敗や微生物の活動自体を抑制することによって悪臭の発生を抑制する方法などである。
【０００４】
これらの中でも、脱水ケーキの脱臭剤及び脱臭方法として、亜硝酸塩、亜硫酸塩又は亜硫酸水素塩を含有することを特徴とする脱水ケーキの脱臭剤（特開２０００−２０２４９４号公報）が提案されている。この方法は、硫化水素あるいはメチルメルカプタン等のとりわけ上述の余剰汚泥排出系で深刻な問題となる悪臭物質の抑止・遅延に非常に有効な方法であり、脱水ケーキの消臭にも有効に利用されてはいるが、それらの悪臭物質が除去されても、なお残余する微量のアンモニア、アミン類等の窒素化合物、吉草酸、イソ酪酸等の低級脂肪酸等、これらの複合悪臭を完全に抑止することが達成できておらず、現場作業員や周辺住民などの人嗅覚で不快と感じないレベルでの消臭効果は得られていなかった。
【０００５】
【特許文献１】特開２０００−２０２４９４号公報
【発明の開示】
【発明が解決しようとする課題】
【０００６】
本発明は、分離することなく均一で安定な製剤であって、かつ各種排水処理工程などで生じる汚泥脱水ケーキからの硫化水素あるいはメチルメルカプタン等の悪臭だけでなく、残余する微量の複合悪臭の発生をも効果的に抑制することができる汚泥脱水ケーキ用悪臭発生防止剤およびそれを用いた汚泥脱水ケーキ用悪臭発生防止方法を提供することを課題とする。
【課題を解決するための手段】
【０００７】
本発明者は、かかる現場における要求を解決するために鋭意研究した結果、亜硝酸塩の水溶液に、香料および両性界面活性剤とを含有した製剤が分離することなく安定であり、下水・し尿処理場等で生じる汚泥脱水ケーキからの硫化水素あるいはメチルメルカプタン等の悪臭だけでなく、残余する微量の複合悪臭の発生をも効果的に抑制できることを見出し、この発明を完成させた。
【０００８】
かくして、本発明によれば、亜硝酸塩の水溶液に、香料および両性界面活性剤を含有させて、均一で安定な製剤にすることを特徴とする汚泥脱水ケーキ用悪臭発生防止剤が提供される。
【０００９】
また、本発明によれば、前記の汚泥脱水ケーキ用悪臭発生防止剤を、汚泥脱水ケーキに対して１０〜２０，０００ｍｇ／ｋｇとなるように添加することを特徴とする汚泥脱水ケーキの悪臭発生防止方法が提供される。
【発明の効果】
【００１０】
本発明によれば、分離することなく均一で安定な製剤であって、下水・し尿処理場、食品製造工場、製紙工場、その他有機性排水処理施設等で生じる汚泥脱水ケーキからの硫化水素あるいはメチルメルカプタン等の悪臭だけでなく、残余する微量の複合悪臭の発生をも効果的に抑制できる有効な汚泥脱水ケーキ用悪臭発生防止剤および汚泥脱水ケーキ用悪臭発生防止方法を提供することができる。
【発明を実施するための最良の形態】
【００１１】
本発明の汚泥脱水ケーキ用悪臭発生防止剤は、亜硝酸塩の水溶液に、香料および両性界面活性剤とを含有させて、均一で安定な製剤とすることを特徴とする。
【００１２】
本発明に用いる亜硝酸塩に特に制限はなく、例えば、亜硝酸アンモニウム、亜硝酸ナトリウム、亜硝酸カリウム、亜硝酸ルビジウム、亜硝酸セシウム、亜硝酸カルシウム、亜硝酸ストロンチウム、亜硝酸マグネシウム、亜硝酸バリウム、亜硝酸ニッケル、亜硝酸銅、亜硝酸銀、亜硝酸亜鉛、亜硝酸タリウムなどが挙げられる。これらの亜硝酸塩は、１種を単独で用いることができ、あるいは、２種以上を組み合わせて用いることもできる。これらの中で、亜硝酸ナトリウム、亜硝酸カリウムは、脱水ケーキの二次使用を行う場合にも利用先での悪影響がなく、特に好適に用いることができる。
【００１３】
本発明に用いる香料に特に制限はなく、酢酸ベンジルや植物由来の精油から選ばれる１種以上を用いることができる。植物由来の精油としては、リナロール、リナロールオキサイド、リナロールオキサイドアセテート、リナロールアセテートケトン、リモネン、ターピネオール、ペリラアルデヒド、メントール、メントン、薄荷白油、樟脳白油、樟脳、ローズオキサイド、ユーカリ油、シトロネラール、シトロネロール、ヒバ油などが挙げられる。
【００１４】
本発明に用いる両性界面活性剤に特に制限はなく、ラウリル（２−ヒドロキシ−３−スルホプロピル）ジメチルベタイン、ラウリルジメチルアミノ酢酸ベタイン、ジメチルラウリルアミンオキサイドなどを好適に用いることができる。また、市販されている両性界面活性剤としては、「アンヒトール20HD」（花王株式会社製）などが挙げられる。
【００１５】
本発明に用いる亜硝酸塩と香料の配合割合としては、１００：０．０５〜１００：４（重量比）、好ましくは１００：０．２〜１００：２（重量比）である。
【００１６】
本発明に用いる亜硝酸塩と両性界面活性剤の配合割合としては、亜硝酸塩と香料が分離することなく均一で安定な製剤となるような配合割合であればよく、１００：１〜１００：１５（重量比）、好ましくは１００：２〜１００：１０（重量比）である。両性界面活性剤の配合割合が上記範囲内に満たない場合、亜硝酸塩と香料が安定な製剤とならず分離してしまい、脱水ケーキに均一に噴霧できず、残余する微量の複合悪臭の発生を効果的に抑制できないため好ましくない。両性界面活性剤の配合割合が上記範囲内を超える場合、さらなる抑制効果が期待できず、経済性の面においても好ましくない。
【００１７】
本発明の汚泥脱水ケーキ用悪臭発生防止剤を、汚泥脱水ケーキに対して、１０〜２０，０００ｍｇ／ｋｇ、好ましくは５０〜１０，０００ｍｇ／ｋｇとなるように添加することで、硫化水素あるいはメチルメルカプタン等の悪臭だけでなく、残余する微量の複合悪臭の発生も効果的に抑制することができる。
【実施例】
【００１８】
以下、製剤例及び実施例を用いて本発明を更に具体的に説明するが、本発明はこれらの製剤例及び実施例に限定されるものではない。なお製剤例中の香料としては、樟脳および酢酸ベンジル主体の香料を用いた。
【００１９】
【表１】
2005305332.tif 000002
【００２０】
実施例１  悪臭発生防止剤の製剤安定性確認試験
亜硝酸ナトリウム水溶液と香料（樟脳、酢酸ベンジルが主体）と各種界面活性剤とを、製剤例１〜７の配合比率で室温条件下、３０分間攪拌混合した。できた製剤をそれぞれ−５℃、２５℃、４０℃の恒温室に放置し、外観および亜硝酸ナトリウム濃度および製剤臭気を経時的に観察した。測定結果を表２に示す。
【００２１】
【表２】
2005305332.tif 000003
【００２２】
表２の測定結果から、製剤例１〜３については、均一微黄色透明な液体が得られ、硫化水素やメチルメルカプタン等の悪臭に有効とされる亜硝酸ナトリウム濃度の減少が長期間抑えられており、長期間の悪臭防止効果が期待できる。また、製剤そのものの臭気も爽快なにおいを３０日間持続させた。
これに対し、製剤例４〜７は、製剤直後に亜硝酸ナトリウムと香料が相分離してしまい、均一な液体が得られなかった。
【００２３】
実施例２  脱水ケーキの悪臭発生防止効果確認試験
某製紙工場の余剰汚泥脱水設備より排出された脱水ケーキ（含水率７０．８％）を採取し、１００ｇずつ１リットルポリ容器に採取し、脱水ケーキ重量に対し、２，５００ｍｇ／ｋｇとなるように消臭剤を直接噴霧し、密栓した状態で３０℃の恒温槽に放置した。一定期間毎に容器内の硫化水素（Ｈ２Ｓ）およびメチルメルカプタン（ＭＭ）の濃度を検知管Ｎｏ．４ＬＴ、４ＨＭ、７１、７１Ｈ（株式会社ガステック製）で測定し、悪臭物質の検知レベルの低い検体についてヒト嗅覚による官能試験により、快・不快度評価を実施した。評価基準については以下のとおりである。また評価結果を表３に示す。
2005305332.tif 000004
【００２４】
【表３】
2005305332.tif 000005
【００２５】
表３の結果から、製剤例１〜３、８，９については、悪臭である硫化水素及びメチルメルカプタンの発生が抑制されていることがわかる。しかしながら、ヒト嗅覚による官能試験では、硫化水素やメチルメルカプタン以外に残余する微量の複合悪臭の発生が抑制できなかったものと考えられ、製剤例８，９で若干の不快が感じられた。
【産業上の利用可能性】
【００２６】
下水・し尿処理場、食品製造工場、製紙工場、その他有機性排水処理施設などで生成される脱水ケーキから発生する硫化水素やメチルメルカプタンあるいは残余する微量の複合悪臭に対して、実施することができる。